(57)【要約】【課題】ＶＣＲ本体内部の記録媒体に記録しなかったデータを後に確認できるようにする。【解決手段】データを記録可能な記録装置１０５と通信回線を介して接続される記録制御装置１０１において、記録媒体１０３に対する前記データの記録開始指示に応じて、記録装置１０５に対して前記データの記録停止を指示するとともに、記録媒体１０３に対する前記データの記録停止指示に応じて、記録装置１０５に対して前記データの記録開始を指示する制御手段１０８を備えた。【選択図】図２
2008035258.tif 000002
【特許請求の範囲】
【請求項１】
データを記録可能な記録装置と通信回線を介して接続される記録制御装置であって、
記録媒体に対する前記データの記録開始指示に応じて、前記記録装置に対して前記データの記録停止を指示するとともに、記録媒体に対する前記データの記録停止指示に応じて、前記記録装置に対して前記データの記録開始を指示する制御手段を有することを特徴とする記録制御装置。
【請求項２】
前記記録装置を探索する探索手段を更に有し、
前記制御手段は、前記探索手段により探索された前記記録装置の数が１台である場合、前記記録装置に対する前記データの記録制御を行うことを特徴とする請求項１に記載の記録制御装置。
【請求項３】
前記探索手段は、前記制御手段が送出する記録制御指示情報を理解可能な前記記録装置を探索することを特徴とする請求項２に記載の記録制御装置。
【請求項４】
前記探索手段により探索された前記記録装置の数が１台でない場合、警告を行う警告手段を更に有することを特徴とする請求項２又は３に記載の記録制御装置。
【請求項５】
データを記録可能な記録装置と通信回線を介して接続される記録制御装置の制御方法であって、
記録媒体に対する前記データの記録開始指示及び記録停止指示を行う指示ステップと、
前記指示ステップによる前記データの記録開始指示に応じて、前記記録装置に対して前記データの記録停止を指示するとともに、前記指示ステップによる前記データの記録停止指示に応じて、前記記録装置に対して前記データの記録開始を指示する制御ステップとを含むことを特徴とする記録制御装置の制御方法。
【請求項６】
請求項５に記載の記録制御装置の制御方法をコンピュータに実行させるためのコンピュータプログラム。
【発明の詳細な説明】
【技術分野】
【０００１】
本発明は、データを記録可能な記録装置と通信回線を介して接続される記録制御装置、その制御方法及びコンピュータプログラムに関する。
【背景技術】
【０００２】
近年、カメラ一体型ＶＣＲ（Ｖｉｄｅｏ Ｃａｓｓｅｔｔｅ Ｒｅｃｏｒｄｅｒ、以下「ＶＣＲ」と称す）等のデジタル機器と複数の周辺機器が、ＩＥＥＥ１３９４等のインタフェースでネットワーク接続可能である。そして機器間において音声や映像データ等をやりとりすることのできるシステムが普及し始めている。
【０００３】
ＩＥＥＥ１３９４には、ネットワークに接続されたデジタル機器を制御するためのＡＶ／Ｃ（Ａｕｄｉｏ Ｖｉｄｅｏ Ｃｏｎｔｒｏｌ）コマンドと呼ばれるＡＶ機器についての制御コマンドが定義されている。例えば、ＶＣＲからＡＶ／Ｃに基づく制御コマンドを送出することで、接続された周辺機器を制御することができる（例えば、特許文献１）。
【０００４】
また、上記のようなシステムにおいて、ＶＣＲ等の映像撮影記録装置と外部記録装置をＩＥＥＥ１３９４インタフェースで接続して撮影記録を行う際に、外部記録装置にも同時に撮影映像を記録することがある。より具体的には、ＶＣＲ本体の記録開始操作があった場合には、ＶＣＲ本体の記録手段に記録すると共に、外部記録装置に対しＡＶ／Ｃの記録開始の制御コマンドを送出することで制御する。また、記録停止操作があった場合には、前記記録手段の記録停止をすると共に、外部記録装置に対しＡＶ／Ｃの記録停止の制御コマンドを送出することで制御する。
【０００５】
【特許文献１】特開２００４−００７７４３号公報
【発明の開示】
【発明が解決しようとする課題】
【０００６】
上記のように撮影映像を記録する場合、ＶＣＲ本体の記録手段と外部記録装置とで同じ映像が記録されるだけであり、いわゆるバックアップを目的とするものである。そのため、記録を止めている時の映像を後で確認することができなかった。
【０００７】
また、上記のように記録をする場合、ＶＣＲ本体から外部記録装置に対して記録開始又は記録停止の制御コマンドを送出するが、送出される外部記録装置がその制御コマンドを理解できない場合は、ＶＣＲ本体は無駄な制御コマンドを送出することになる。また、外部記録装置が制御コマンドを理解できる場合であっても、外部記録装置が複数接続されている場合には、ＶＣＲ本体は、どの外部記録装置に対して制御コマンドを送出すれば良いのか判断できないという問題もある。
【０００８】
また、前記問題に対して、例えばノードＩＤの小さい方の外部記録装置を制御するように構成したとしても、何れかの装置の電源ＯＮ／ＯＦＦやケーブル抜き差し等によるバスリセットでノードＩＤが変わってしまった場合には問題となる。すなわち、バスリセット前と後で異なる外部記録装置を制御対象にしてしまうという問題があり、好適な対処方法とは言い難い。
【０００９】
そこで、本発明の目的は、例えばＶＣＲ本体内部の記録媒体に記録しなかったデータを後で確認できるようにすることにある。
【００１０】
また、本発明の目的は、制御対象が複数存在した場合の制御対象の決定に対する混乱を回避することにある。
【００１１】
また、本発明の目的は、例えばＶＣＲ本体が送出する制御コマンドを制御対象が理解できない場合の無駄な制御コマンドの送出を回避することにある。
【課題を解決するための手段】
【００１２】
本発明の記録制御装置は、データを記録可能な記録装置と通信回線を介して接続される記録制御装置であって、記録媒体に対する前記データの記録開始指示に応じて、前記記録装置に対して前記データの記録停止を指示するとともに、記録媒体に対する前記データの記録停止指示に応じて、前記記録装置に対して前記データの記録開始を指示する制御手段とを有することを特徴とする。
【００１３】
また、本発明の記録制御装置は、データを記録可能な記録装置と通信回線を介して接続される記録制御装置の制御方法であって、記録媒体に対する前記データの記録開始指示及び記録停止指示を行う指示ステップと、前記指示ステップによる前記データの記録開始指示に応じて、前記記録装置に対して前記データの記録停止を指示するとともに、前記指示ステップによる前記データの記録停止指示に応じて、前記記録装置に対して前記データの記録開始を指示する制御ステップとを含むことを特徴とする。
【発明の効果】
【００１４】
本発明においては、記録媒体に対するデータの記録開始指示に応じて、外部の記録装置に対してデータの記録停止を指示するとともに、記録媒体に対するデータの記録停止指示に応じて、記録装置に対して前記データの記録開始を指示するように構成している。従って、本発明によれば、記録媒体に記録しなかったデータは記録装置側で記録され、記録媒体に記録しなかったデータを後で確認することが可能となる。
【００１５】
また、本発明においては、記録装置の数が１台である場合に、記録装置に対するデータの記録制御を行うように構成している。従って、本発明によれば、制御対象が複数存在した場合の制御対象の決定に対する混乱を回避することができる。
【００１６】
また、本発明においては、制御手段が送出する記録制御指示情報を理解可能な記録装置を探索して制御対象としている。従って、本発明によれば、記録制御装置が送出する制御コマンドを制御対象が理解できない場合の無駄な制御コマンドの送出を回避することができる。
【００１７】
さらに、本発明においては、記録装置の数が１台でない場合は、その旨をユーザに対して警告することができる。
【発明を実施するための最良の形態】
【００１８】
（第１の実施の形態）
以下、図面を参照して、本発明の第１の実施の形態について説明する。図１は、ＶＣＲとハードディスク装置（ＡＶＨＤＤ）とをＩＥＥＥ１３９４のインタフェースでネットワーク接続したシステムの概略構成を示す図である。
【００１９】
図１に示すように、ＶＣＲ１０１は、カメラ部１０２、レコーダ部１０３、ＤＶ端子１０４及び撮影トリガボタン１０６を備えている。ＶＣＲ１０１は、ＤＶ端子（１３９４Ｉ／Ｆ）１０４に繋がれた１３９４ケーブルを通してＡＶ用のハードディスク装置であるＡＶＨＤＤ１０５に接続されている。また、ＡＶＨＤＤ１０５は記録／記録停止ボタン１０７を有している。
【００２０】
ＶＣＲ１０１は、さらにコマンド生成部１０８を有し、レコーダ部１０３からレコーダの動作状態データ（記録開始、記録停止等）が入力され、また、トリガボタン１０６からトリガ操作状態データが入力される。
【００２１】
コマンド生成部１０８は、これらレコーダ部１０３の動作状態と撮影トリガボタン１０６の操作に応じて、ＡＶＨＤＤ１０５に記録開始／記録停止等のＡＶ／Ｃの制御コマンドを発行し、ＤＶ端子１０４からパケットデータを送出して動作指示をする。
【００２２】
以下、図２のフローチャートを用いて、ＶＣＲ１０１によるＡＶＨＤＤ１０５の制御フローの一例を説明する。
【００２３】
ステップＳ２０１では、コマンド生成部１０８は、ユーザがＶＣＲ１０１の撮影トリガボタン１０６を押したかどうかを監視する。トリガ操作が無ければステップＳ２０１の監視を繰り返す。トリガ操作があればステップＳ２０２へ遷移する。
【００２４】
ステップＳ２０２では、コマンド生成部１０８は、トリガ操作がＶＣＲ１０１本体の記録を開始するものなのか、記録を停止するものなのかを判断する。トリガ操作が記録を開始する為のものであると判断した場合はステップＳ２０３へ遷移し、トリガ操作が記録を停止する為のものであると判断した場合は、ステップＳ２０４へ遷移する。
【００２５】
ステップＳ２０３では、コマンド生成部１０８は、ＡＶ／Ｃの記録停止コマンドを発行して、パケットデータとしてＤＶ端子１０４からＡＶＨＤＤ１０５へ送出し、本制御フローを終了する。
【００２６】
また、ステップＳ２０４では、コマンド生成部１０８は、ＡＶ／Ｃの記録開始コマンドを発行して、パケットデータとして、ＤＶ端子１０４からＡＶＨＤＤ１０５へ送出し、本制御フローを終了する。
【００２７】
上記制御フローを行った際のＶＣＲ１０１のレコーダ部１０３と外部記録装置であるＡＶＨＤＤ１０５との記録動作を図３を用いて説明する。図３において横軸は記録時間の経過を表す。パターン３０１はＶＣＲ１０１のレコーダ部１０３の記録動作を表し、パターン３０８はＡＶＨＤＤ１０５の記録動作をそれぞれ表す。
【００２８】
トリガポイント３０２、３０３、３０４はそれぞれレコーダ部１０３の記録開始トリガを表し、トリガポイント３０５、３０６、３０７はそれぞれ記録停止トリガを表す。
【００２９】
また、図２で説明した制御フローを実行することで、トリガポイント３０５、３０６は、それぞれＡＶＨＤＤ１０５の記録開始トリガとなり、トリガポイント３０３、３０４はそれぞれＡＶＨＤＤ１０５の記録停止トリガとなる。
【００３０】
よって、パターン３０１上の帯状の斜線部分では、ＶＣＲ１０１のレコーダ部１０３で記録動作が行われ、パターン３０８上の帯状の斜線部分ではＡＶＨＤＤ１０５の記録動作が行われている。
【００３１】
以上、本第１の実施の形態では、ＶＣＲ１０１の撮影トリガボタン１０６の記録開始操作によってなされるレコーダ部１０３に対する記録開始指示に応じて、ＡＶＨＤＤ１０５に対して記録停止の指示をする。そして、撮影トリガボタン１０６の記録停止操作によってなされるレコーダ部１０３に対する記録停止指示に応じて、ＡＶＨＤＤ１０５に対して記録開始の指示を行う。このように、ＶＣＲ１０１のトリガ操作だけで、ＶＣＲ１０１の撮影記録に対して撮影シーンを補間するようにＡＶＨＤＤ１０５の記録開始又は記録停止の動作を制御することができ、ＶＣＲ１０１のレコーダ部１０３が記録していない部分を記録することができる。
【００３２】
（第２の実施の形態）
次に、本発明の第２の実施の形態について説明する。図４は、ＶＣＲとハードディスク装置（ＡＶＨＤＤ）とをＩＥＥＥ１３９４のインタフェースでネットワーク接続したシステムの概略構成を示す図である。なお、本図において、ハードディスク装置は１台のみ接続されているが、実際は複数台の装置が１３９４ケーブルバス上に、例えば、デイジーチェーン接続又はツリー接続等で複数接続されている。
【００３３】
図４に示すように、本実施の形態のＶＣＲ４０１は、カメラ部４０２、レコーダ部４０３、ＤＶ端子４０４及び撮影トリガボタン４０６を有している。ＶＣＲ４０１はＤＶ端子（１３９４Ｉ／Ｆ）４０４に繋がれた１３９４ケーブルを通してＡＶ用のハードディスク装置であるＡＶＨＤＤ４０５に接続される。
【００３４】
なお、上記説明したよう本実施の形態においては、ＡＶＨＤＤ４０５以外の機器が１３９４ケーブルバス上に複数台接続されており、ＡＶＨＤＤ４０５はその中の１台を示している。また、ＡＶＨＤＤ４０５は記録／記録停止ボタン４０７を有している。
【００３５】
さらに、ＶＣＲ４０１は、制御部４０８を有する。制御部４０８には、レコーダ部４０３からのレコーダの動作状態データ（記録開始、記録停止等）と、撮影トリガボタン４０６からのトリガ操作状態データとが入力される。
【００３６】
制御部４０８は、これらレコーダ部４０３の動作状態と撮影トリガボタン４０６の操作に応じて、ＡＶＨＤＤ４０５に対して記録開始／記録停止等のＡＶ／Ｃの制御コマンドを発行し、パケットデータをＤＶ端子４０４から送出して動作指示をする。
【００３７】
さらに、ＶＣＲ４０１は、ＡＶＨＤＤ４０５を制御するためのＯＮ／ＯＦＦスイッチ４０９を有している。また、ＶＣＲ４０１本体にはユーザに制御部４０８の制御状態を知らせる為の表示部４１０が設けられる。
【００３８】
以下、図５のフローチャートを用いて、ＶＣＲ４０１によるＡＶＨＤＤ４０５の制御フローの一例を説明する。
【００３９】
ステップＳ５０１では、制御部４０８は、ユーザによるＯＮ／ＯＦＦスイッチ４０９の操作の監視をする。スイッチ操作がなければステップＳ５０１の監視を繰り返す。ＯＮ／ＯＦＦスイッチ４０９のＯＮ操作を検出したら、ステップＳ５０２へ遷移する。
【００４０】
ステップＳ５０２では、制御部４０８は、１３９４バス上のノードに対し制御コマンドに応じた動作が可能なＡＶＨＤＤ４０５の探索をする。本実施の形態においては、ＡＶ／ＣのＶＣＲサブユニットコマンドの中の記録開始コマンドや記録停止コマンドを用いるので、ここでは１３９４バス上に自ノード以外にＶＣＲサブユニットが何台存在するかを探索する。
【００４１】
ステップＳ５０３では、制御部４０８は、ステップＳ５０２で探索したＶＣＲサブユニットの数を調べて、自ノード以外にＶＣＲサブユニットが1台であるかどうかチェックする。もし１３９４バス上に自ノード以外のＶＣＲサブユニットが１台も無い、もしくは２台以上ある場合はステップＳ５０５において、制御部４０８は、表示部４１０に「ＥＲＲＯＲ」と表示して制御機能をＯＦＦして終了する。
【００４２】
一方、ステップＳ５０３で自ノード以外のＶＣＲサブユニットが1台であると判断された場合、ステップＳ５０４において表示部４１０に「制御中」と表示して、ステップＳ５０６へ遷移する。なお、本実施の形態においては、自ノード以外で特定された１台のＶＣＲサブユニットはＡＶＨＤＤ４０５が有するものであったと判断されたこととする。
【００４３】
ステップＳ５０６では、制御部４０８は、ユーザがＶＣＲ４０１の撮影トリガボタン４０６を押したかどうかを監視し、トリガ操作があればステップＳ５０７へ遷移する。トリガ操作が無ければステップＳ５１０へ遷移する。
【００４４】
ステップＳ５０７では、制御部４０８は、操作されたトリガがＶＣＲ４０１本体の記録を開始するものなのか、記録を停止するものなのかを判断する。トリガ操作が記録を開始する為のものであると判断した場合はステップＳ５０８へ遷移し、トリガ操作が記録を停止する為のものであると判断した場合はステップＳ５０９へ遷移する。
【００４５】
ステップＳ５０８では、制御部４０８は、ＡＶ／Ｃの記録開始コマンドのパケットデータを発行し、パケットデータとして、ＤＶ端子４０４からＡＶＨＤＤ４０５へ送出し、ステップＳ５１０へ遷移する。
【００４６】
ステップＳ５０９では、制御部４０８は、ＡＶ／Ｃの記録停止コマンドのパケットデータを発行し、パケットデータとして、ＤＶ端子４０４からＡＶＨＤＤ４０５へ送出し、ステップＳ５１０へ遷移する。
【００４７】
ステップＳ５１０では、制御部４０８は、ユーザによるＯＮ／ＯＦＦスイッチ４０９の操作によって制御部４０８の制御動作の継続が指示された状態にあるか否かを判断する。制御部４０８の制御動作の継続が指示されていると判断されれば、ステップＳ５１１へ遷移する。一方、制御部４０８の制御動作の終了が指示された場合、本処理フローを終了する。
【００４８】
ステップＳ５１１では、制御部４０８は、何らかの要因で１３９４バスにバスリセットが発生したかどうかを調べる。バスリセットは１３９４バス上の何れかのノードの電源ＯＮ／ＯＦＦやバス上への新たなノードの接続やバス上からのノードの切断等によって発生する。よって、制御部４０８は、バスリセットが発生したと判断した場合、再びステップＳ５０２へ遷移してＶＣＲサブユニットの探索を行う。一方、ステップＳ５１１でバスリセットが発生していないと判断された場合、制御部４０８がステップＳ５０６のトリガ操作の監視を行う処理に戻る。
【００４９】
次に、前記ステップＳ５０２のＶＣＲサブユニット探索処理の詳細を図６に示すフローチャートを用いて説明する。
【００５０】
ステップＳ６０１では、制御部４０８は、制御対象になる１３９４バス上のＶＣＲサブユニットの数を初期値である０に設定する。
【００５１】
ステップＳ６０２では、制御部４０８は、ＶＣＲサブユニットの実装状態を調べるために１３９４バスを介し、送出するパケットの宛先ＩＤを初期値である０に設定する。
【００５２】
ステップＳ６０３では、制御部４０８は、宛先ＩＤがルートのノードＩＤの値より大きいかどうかを判断し、大きければ処理を終了する。ルートのノードＩＤの値を超えていなかったら、ステップＳ６０４へ遷移する。
【００５３】
ステップＳ６０４では、制御部４０８は、宛先ＩＤが自ノードのノードＩＤと等しいかどうかを判断する。宛先ＩＤが自ノードのノードＩＤと等しかったら、ステップＳ６０９へ遷移し、宛先ＩＤが自ノードのノードＩＤに等しくなかったら、ステップＳ６０５へ遷移する。
【００５４】
ステップＳ６０５では、制御部４０８は、宛先ＩＤのノードに対して、ＡＶ／Ｃの制御コマンドのＵＮＩＴ ＩＮＦＯ Ｃｏｍｍａｎｄを発行し、送出する。
【００５５】
ステップＳ６０６では、制御部４０８は、上記送出したＵＮＩＴ ＩＮＦＯ Ｃｏｍｍａｎｄに対して返信されてきたレスポンスに制御対象であるＶＣＲサブユニットのユニットタイプの記述があるかどうか調べる。ＶＣＲサブユニットのユニットタイプの記述が無ければステップＳ６０９へ遷移する。ＶＣＲサブユニットのユニットタイプの記述があればステップＳ６０７へ遷移して、制御部４０８はバス上の自ノード以外のＶＣＲサブユニットの数をインクリメントする。
【００５６】
ステップＳ６０８では、制御部４０８は、宛先ＩＤを制御対象のノードＩＤとして記憶する。
【００５７】
ステップＳ６０９では、制御部４０８は、宛先ＩＤをインクリメントして再びステップＳ６０３に戻る。
【００５８】
以上のようにして探索されたバス上の自ノード以外のＶＣＲサブユニットの数が１であれば、制御部４０８は、そのＶＣＲサブユニットについてステップＳ６０８で記憶した制御対象のノードＩＤを宛先ＩＤにしてＡＶＨＤＤ４０５の制御を行う。
【００５９】
以上のように、本実施形態においては、ＶＣＲサブユニットが１台であるか、つまり、ＡＶ／Ｃの制御コマンドに応じた動作が可能（ＡＶ／Ｃの制御コマンドを理解可能）なＡＶＨＤＤ４０５が１台であるか否かを判断する。そして、ＡＶ／Ｃの制御コマンドに応じた動作が可能なＡＶＨＤＤ４０５が１台である場合にのみ、レコーダ部４０３に対する撮影記録を開始するトリガ操作に応じて、ＡＶＨＤＤ４０５に対して記録開始制御コマンドを発行し送出する。また、撮影記録を停止するトリガ操作に応じて、ＡＶＨＤＤ４０５に対して記録停止制御コマンドを発行し送出する。以上のように構成することで、ＡＶＨＤＤ４０５が複数接続された状態であっても、ＡＶＨＤＤ４０５が１台である場合にのみ制御コマンドを送出するので、制御対象の決定に対する混乱を回避することができる。また、ＡＶＨＤＤ４０５が制御コマンドを理解できない場合にトリガ操作の度に無駄な通信を行ってしまうことを防止することができる。さらに、制御コマンドを理解できるＡＶＨＤＤ４０５が複数存在した場合には、表示部４１０に「ＥＲＲＯＲ」と制御状態を切り替え可能に表示する。これにより、制御対象となるＡＶＨＤＤ４０５を判別できない場合に、その旨をユーザに警告として通知することができる。
【００６０】
また、本実施の形態において、ＡＶＨＤＤへの記録方法はバックアップを目的とする記録方法であるが、第１の実施の形態で説明した記録方法と組み合わせることもでき、その場合においてもユーザにとって使用性の高い記録制御機能を提供することができる。
【００６１】
また、本実施の形態において記録する対象は撮影された映像としたが、音声のみを記録する場合においても、好適に実施が可能である。
【００６２】
また、本実施の形態において、トリガボタンを操作することで、その操作に応じて、コマンド生成部１０８又は制御部４０８が制御コマンドを発行して、ＡＶＨＤＤに指示をするように構成した。ここでは、例えば有線又は無線を介した操作手段の操作に応じて制御コマンドを発行するように構成してもよい。
【００６３】
なお、本発明は、上述した実施形態の機能を実現するソフトウェアのプログラムコードを記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００６４】
この場合、記憶媒体から読み出されたプログラムコード自体が上述した実施形態の機能を実現することになり、プログラムコード自体及びそのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６６】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００６７】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００６８】
【図１】本発明の第１の実施の形態に係るシステムの構成を示す図である。
【図２】本発明の第１の実施の形態に係るＡＶＨＤＤに対する制御フローを示すフローチャートである。
【図３】本発明の第１の実施の形態においての記録動作の様子を説明するための図である。
【図４】本発明の第２の実施の形態に係るシステムの構成を示す図である。
【図５】本発明の第２の実施の形態に係るＡＶＨＤＤに対する制御フローを説明するためのフローチャートである。
【図６】本発明の第２の実施の形態に係るＡＶＨＤＤに対する制御フローを説明するためのフローチャートである。
【符号の説明】
【００６９】
１０１  ＶＣＲ
１０２  カメラ部
１０３  レコーダ部
１０４  ＤＶ端子
１０５  ＡＶＨＤＤ
１０６  撮影トリガボタン
１０７  記録／記録停止ボタン
１０８  コマンド生成部
４０１  ＶＣＲ
４０２  カメラ部
４０３  レコーダ部
４０４  ＤＶ端子
４０５  ＡＶＨＤＤ
４０６  撮影トリガボタン
４０７  記録／記録停止ボタン
４０８  制御部
４０９  ＯＮ／ＯＦＦスイッチ
４１０  表示部
【図１】
2008035258.tif 000003
【図２】
2008035258.tif 000004
【図３】
2008035258.tif 000005
【図４】
2008035258.tif 000006
【図５】
2008035258.tif 000007
【図６】
2008035258.tif 000008